【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
少なくとも１つの参照専用の画像から予測して、入力画像を符号化するビデオ・エンコーダであって、
以前に符号化した少なくとも１つの画像を記憶する画像フレーム・バッファと、
画像フレーム・バッファに接続され、以前に符号化した少なくとも１つの画像から少なくとも１つの参照専用画像を発生する参照画像処理装置と、
を具える、前記ビデオ・エンコーダ。
【請求項２】
参照画像処理装置が、動き補償された参照画像に応答する、請求項１記載のビデオ・エンコーダ。
【請求項３】
参照画像処理装置が、複数の参照画像に応答する、請求項１記載のビデオ・エンコーダ。
【請求項４】
参照画像処理装置が、少なくとも１つのループ・フィルタに応答する、請求項１記載のビデオ・エンコーダ。
【請求項５】
参照画像処理装置が、少なくとも１つの重みづけ係数に応答する、請求項１記載のビデオ・エンコーダ。
【請求項６】
参照画像処理装置が参照画像指標に応答し、複数のフィルタのうちどのフィルタを以前に符号化した少なくとも１つの画像に適用すべきかを伝える、請求項１記載のビデオ・エンコーダ。
【請求項７】
参照画像処理装置が、空間フィルタを具える、請求項１記載のビデオ・エンコーダ。
【請求項８】
参照画像処理装置が、時間フィルタを具える、請求項１記載のビデオ・エンコーダ。
【請求項９】
１つの参照画像に適用する、指定されたフィルタが、別の参照画像に適用する指定されたフィルタと異なる、請求項６記載のビデオ・エンコーダ。
【請求項１０】
適用するフィルタを示す信号を送り、各画像について、その参照画像がフィルタ処理されるかどうかを指定する、請求項６記載のビデオ・エンコーダ。
【請求項１１】
適用するフィルタを示す信号を送り、すべての参照画像に同じフィルタを使用すべきかどうかを指定する、請求項６記載のビデオ・エンコーダ。
【請求項１２】
適用するフィルタを示す信号を送り、異なるフィルタリング・パラメータで参照画像を再使用するかどうかを指定する、請求項６記載のビデオ・エンコーダ。
【請求項１３】
通常の参照画像とフィルタ処理済み参照画像の少なくとも１つを使用することを伝える、請求項６記載のビデオ・エンコーダ。
【請求項１４】
参照画像処理装置に接続されて、動き補償された参照専用画像を発生する動き補償装置を具える、請求項１記載のビデオ・エンコーダ。
【請求項１５】
参照画像処理装置が、参照画像を発生する動き投影機と画素投影機の少なくとも１つを具える、請求項１記載のビデオ・エンコーダ。
【請求項１６】
画像ブロックのビデオ信号データを符号化する方法であって、  
圧縮しない画像ブロックを受信するステップと、
以前に符号化した画像をフィルタ処理し、適応参照画像を生成するステップと、
適応参照画像を動き補償するステップと、
圧縮しない画像ブロックから動き補償した適応参照画像を差し引くステップと、
圧縮しない画像ブロックと動き補償した適応参照画像との間の差を符号化するステップと、
を含む、前記方法。
【請求項１７】
符号化した差を復号化するステップと、
復号化した差を、動き補償された適応参照画像に加算して、復号化した画像を形成するステップと、
復号化した画像を画像バッファに記憶するステップと、
を含む、請求項１６記載の方法。
【請求項１８】
フィルタリングがビットストリーム・フィールドに応答し、相関関係のないノイズを減じるために、複数のフィルタのうちどのフィルタを適用すべきかを伝える、請求項１６記載の方法。
【請求項１９】
処理するステップで、空間フィルタを適用する、請求項１６記載の方法。
【請求項２０】
処理するステップで、時間フィルタを適用する、請求項１６記載の方法。
【請求項２１】
１つの参照画像に適用する送られたフィルタが、別の参照画像に適用する送られたフィルタと異なる、請求項１８記載の方法。
【請求項２２】
適用するフィルタを示す信号を送り、各画像について、その参照画像がフィルタ処理されるかどうかを指定する、請求項１８記載の方法。
【請求項２３】
適用するフィルタを示す信号を送り、すべての参照画像に同じフィルタを使用すべきかどうかを指定する、請求項１８記載の方法。
【請求項２４】
適用するフィルタを示す信号を送り、異なるフィルタリング・パラメータで参照画像を再使用すべきかどうかを指定する、請求項１８記載の方法。
【請求項２５】
相関関係のない信号が、フィルムの粒子を表示する補足的な付加情報メッセージである、請求項１６記載の符号化方法。
【請求項２６】
少なくとも１つの参照専用画像から予測して、出力画像を復号化するビデオ・デコーダであって、
画像フレーム・バッファと、
画像フレーム・バッファに接続され、以前に復号化した少なくとも１つの画像から少なくとも１つの参照専用画像を発生する参照画像処理装置と、
を具え、
該少なくとも１つの参照専用画像は、目に見える表示用画像である必要はない、前記ビデオ・デコーダ。
【請求項２７】
参照画像処理装置が参照画像指標に応答し、複数のフィルタのうちどのフィルタを、以前復号化した少なくとも１つの画像に適用すべきかを伝える、請求項２６記載のビデオ・デコーダ
【請求項２８】
参照画像処理装置が、空間フィルタを具える、請求項２６記載のビデオ・デコーダ。
【請求項２９】
参照画像処理装置が、時間フィルタを具える、請求項２６記載のビデオ・デコーダ。
【請求項３０】
参照画像処理装置が、動き補償された参照画像に応答する、請求項２６記載のビデオ・デコーダ。
【請求項３１】
参照画像処理装置が、複数の参照画像に応答する、請求項２６記載のビデオ・デコーダ。
【請求項３２】
参照画像処理装置が、少なくとも１つのループ・フィルタに応答する、請求項２６記載のビデオ・デコーダ。
【請求項３３】
参照画像処理装置が、少なくとも１つの重みづけ係数に応答する、請求項２６記載のビデオ・デコーダ。
【請求項３４】
参照画像処理装置に接続されて、動き補償した参照専用の画像を供給する動き補償装置を具える、請求項２６記載のビデオ・デコーダ。
【請求項３５】
参照画像処理装置が、適用されたフィルタを表示する信号に応答する、請求項２６記載のビデオ・デコーダ。
【請求項３６】
前記信号が、通常の参照画像とフィルタ処理済み参照画像の少なくとも１つを使用することを表示する、請求項３５記載のビデオ・デコーダ。
【請求項３７】
参照画像処理装置に接続されて、相関関係のない画像データをシミュレートするシミュレーション装置を具える、請求項２６記載のビデオ・デコーダ。
【請求項３８】
参照画像処理装置が、動き投影機と画素投影機の少なくとも１つを具え、参照画像を処理する、請求項２６記載のビデオ・デコーダ。
【請求項３９】
表示画像用のビデオ信号データを復号化する方法であって、
参照専用の画像を受信するステップと、
相関関係のない画像データを受信するステップと、
参照専用画像を動き補償するステップと、
動き補償した参照画像を相関関係のない画像データで再構成するステップと、
再構成した画像を表示するステップと、
を含む、前記方法。
【請求項４０】
相関関係のない画像データが、フィルムの粒子を示す補足的な付加情報メッセージである、請求項３９記載の復号化方法。
【請求項４１】
受信される参照画像が、時間フィルタと空間フィルタの少なくとも１つを使用して適応的に発生される、請求項３９記載の復号化する方法。